(57)【要約】      （修正有）【課題】できるだけ少数の支持体で人工股関節のステムを安定的に支持することのできる人工股関節のステム用パッケージを提供する。【解決手段】ステム本体３とネック部５とを有する人工股関節のステム１をトレイ２０，３０に入れて収納するための人工股関節のステム用パッケージであって、人工股関節のステムは、ステム本体３の遠位部を支持する遠位支持体５３と、ステム本体３の中央部を挿通しながら支持する中央支持体５５と、ネック部を支持するネック支持体４７と、によってトレイ内で支持されており、トレイ長手直交方向に延在する複数個のリッジ４３が、トレイ長手方向に沿って離間配置されているとともに、その対向側にも対照的に配置されており、少なくとも遠位支持体５３及び中央支持体５５は、リッジ４３と隣接するリッジ４３との間に形成された装着部４５に対して着脱自在であるように構成されている。【選択図】図８
0003149688.tif 000002
【実用新案登録請求の範囲】
【請求項１】
骨随腔中に挿入されるステム本体と、骨随腔の外側に配置されて骨頭球をその先端側に嵌装するためのネック部と、を有する人工股関節のステムをトレイに入れて収納するための人工股関節のステム用パッケージであって、
前記人工股関節のステムは、前記ステム本体の遠位部を支持する遠位支持体と、前記ステム本体の中央部を挿通しながら支持する中央支持体と、前記ネック部を支持するネック支持体と、によってトレイ内で支持されており、
トレイ長手直交方向に延在する複数個のリッジが、トレイ長手方向に沿って離間配置されているとともに、その対向側にも対照的に配置されており、
少なくとも遠位支持体及び中央支持体は、前記リッジと隣接するリッジとの間に形成された装着部に対して着脱自在であるように構成されていることを特徴とする人工股関節のステム用パッケージ。
【請求項２】
前記リッジは、前記トレイとは別体に設けられた支持板上に形成されていることを特徴とする、請求項１に記載のパッケージ。
【請求項３】
前記ネック支持体は、前記支持板上に固設されていることを特徴とする、請求項２に記載のパッケージ。
【請求項４】
前記ネック支持体は、前記装着部に対して着脱自在であるように構成されていることを特徴とする、請求項１に記載のパッケージ。
【請求項５】
前記トレイは、外トレイ内に収納される内トレイであることを特徴とする、請求項１に記載のパッケージ。
【請求項６】
前記遠位支持体は、前記装着部に装着されるベース部と、該ベース部に対してトレイ長手方向に突出した突出部と、からなる二段構造をしていることを特徴とする、請求項１に記載のパッケージ。
【請求項７】
前記遠位支持体及び中央支持体は、連結部を介して連結されていることを特徴とする、請求項１に記載のパッケージ。
【請求項８】
前記連結部は、トレイ長手方向に対して伸縮可能であることを特徴とする、請求項７に記載のパッケージ。
【請求項９】
前記装着部に対して着脱自在な支持体は、耐ガンマ線特性を有するスポンジ状樹脂材料からなることを特徴とする、請求項１に記載のパッケージ。
【請求項１０】
前記人工股関節のステムが粗面部を有する場合には、該粗面部と重ならない位置に前記中央支持体が配置されることを特徴とする、請求項１に記載のパッケージ。
【考案の詳細な説明】
【技術分野】
【０００１】
本考案は、人工股関節のステムを収納するためのパッケージに関する。
【背景技術】
【０００２】
手術を行う術者は、患者の骨形状や骨質、骨損失や疾患の状況等に応じてその患者に最適な人工股関節のステムを選択して用いる。そこで、人工股関節のステムには、全長や太さや角度等の寸法形状的特性及び／又は材質特性及び／又は粗面化領域や生体材料コーティングの有無等の機能的特性が異なった多くの品種が存在し、パッケージ内が無菌の状態に保たれた個別包装の態様で人工股関節のステムが術者に供される。人工股関節のステムは、一般に、ステム本体とネック部とから構成されており、ステム本体に対してネック部がステム長手方向に屈曲配置されたチャンレイ型が基本になっている。
【０００３】
例えば、特許文献１は、二枚貝タイプのパッケージ内に人工股関節のステムを収納することを開示している。しかしながら、特許文献１の収納方法では、異なった形状のステム毎に、対応した形状の収納部を有するパッケージを準備しなければならず、準備すべきパッケージの数が非常に多くなるという問題がある。
【０００４】
そこで、異なった形状の支持体を複数個準備して、それらをパッケージ内で適宜組み合わせることによって様々な形状の人工股関節のステムに対応するという収納方法が提案されている。例えば、図１に例示したように、第一支持体１５０ａ、第二支持体１５０ｂ、第三支持体１５０ｃ、第四支持体１５０ｄ及び第五支持体１５０ｅからなる支持体１５０をパッケージ１３０のトレイ１４０に対して適宜配置して、五つの支持体１５０によって人工股関節のステム１を弾性的に支持するという収納方法が提案されている。当該収納方法は、収納されるステム１の形状に応じて、ある部位の支持体を別形状の支持体に置換することによって、多品種のステム１に対応するというものである。
【先行技術文献】
【特許文献】
【０００５】
【特許文献１】特開平０５−１８４６１３号公報
【考案の概要】
【考案が解決しようとする課題】
【０００６】
従来技術として図１に例示した収納方法は、第一支持体１５０ａ等からなる五つの支持体１５０を組み合わせたものであるが、第一支持体１５０ａ等の各部位毎に異なった形状のものを準備する必要がある。例えば、各部位の支持体として３種類のものが必要であるとしたならば、全体として、３×３×３×３×３＝２４３個が必要となる。したがって、準備しなければならない支持体１５０の総数は、非常に多くなる。そして、支持体１５０の数が多くなると、支持体１５０の在庫管理が煩雑になるという問題や、多くの支持体１５０の中から特定の支持体１５０を選び出すことによる作業性の低下や誤った組合せの発生という問題が生じる。
【０００７】
さらに、人工股関節のステム１を弾性的に支持するための支持体１５０は、滅菌処理するためのガンマ線照射にも耐えうる特別な樹脂材料が用いられるとともに少量多品種の形で供されるので、非常に高価なものであり、パッケージ費用において大きなウエイトを占めているという問題がある。
【０００８】
したがって、本考案の解決すべき技術的課題は、できるだけ少数の支持体によって人工股関節のステムを安定的に支持することのできる人工股関節のステム用パッケージを提供することである。
【課題を解決するための手段】
【０００９】
上記技術的課題を解決するために、本考案によれば、以下の人工股関節のステム用パッケージが提供される。
【００１０】
すなわち、本考案の請求項１に係る人工股関節のステム用パッケージは、
骨随腔中に挿入されるステム本体と、骨随腔の外側に配置されて骨頭球をその先端側に嵌装するためのネック部と、を有する人工股関節のステムをトレイに入れて収納するための人工股関節のステム用パッケージであって、
前記人工股関節のステムは、前記ステム本体の遠位部を支持する遠位支持体と、前記ステム本体の中央部を挿通しながら支持する中央支持体と、前記ネック部を支持するネック支持体と、によってトレイ内で支持されており、
トレイ長手直交方向に延在する複数個のリッジが、トレイ長手方向に沿って離間配置されているとともに、その対向側にも対照的に配置されており、
少なくとも遠位支持体及び中央支持体は、前記リッジと隣接するリッジとの間に形成された装着部に対して着脱自在であるように構成されていることを特徴とする。
【００１１】
本考案の請求項２に係る人工股関節のステム用パッケージでは、リッジは、トレイとは別体に設けられた支持板上に形成されていることを特徴とする。
【００１２】
本考案の請求項３に係る人工股関節のステム用パッケージでは、ネック支持体は、支持板上に固設されていることを特徴とする。
【００１３】
本考案の請求項４に係る人工股関節のステム用パッケージでは、ネック支持体は、装着部に対して着脱自在であるように構成されていることを特徴とする。
【００１４】
本考案の請求項５に係る人工股関節のステム用パッケージでは、トレイは、外トレイ内に収納される内トレイであることを特徴とする。
【００１５】
本考案の請求項６に係る人工股関節のステム用パッケージでは、遠位支持体は、装着部に装着されるベース部と、ベース部に対してトレイ長手方向に突出した突出部と、からなる二段構造をしていることを特徴とする。
【００１６】
本考案の請求項７に係る人工股関節のステム用パッケージでは、遠位支持体及び中央支持体は、連結部を介して連結されていることを特徴とする。
【００１７】
本考案の請求項８に係る人工股関節のステム用パッケージでは、連結部は、トレイ長手方向に対して伸縮可能であることを特徴とする。
【００１８】
本考案の請求項９に係る人工股関節のステム用パッケージでは、装着部に対して着脱自在な支持体は、耐ガンマ線特性を有するスポンジ状樹脂材料からなることを特徴とする。
【００１９】
本考案の請求項１０に係る人工股関節のステム用パッケージでは、人工股関節のステムが粗面部を有する場合には、粗面部と重ならない位置に中央支持体が配置されることを特徴とする。
【考案の効果】
【００２０】
請求項１に係る本考案は、遠位支持体及び中央支持体という少なくとも二つのステム支持体とネック支持体とによって人工股関節のステムがトレイ内で支持・収納される構成を提供するので、高価な支持体の使用数量を少なくしてパッケージ費用を大幅に削減することができるという効果を奏する。
【００２１】
リッジをトレイ上に直接に形成することも可能であるが、様々な構成要素をトレイに組み入れることによりトレイの構造が複雑化するために、トレイ及びパッケージの設計変更に迅速に対応することが困難になる。請求項２に係る本考案は、リッジをトレイとは別体の支持板に設ける構成を提供するので、トレイ及びパッケージの設計自由度が増すという効果を奏する。
【００２２】
請求項３に係る本考案は、高価な支持体の使用数量を少なくできるという効果を奏する。
【００２３】
請求項４に係る本考案は、支持板の構造が簡単になるという効果を奏する。
【００２４】
請求項５に係る本考案は、内トレイと外トレイとからなる二重収納構造を提供するので、高度な無菌状態のパッケージが得られるという効果を奏する。
【００２５】
請求項６に係る本考案は、ベース部の面及び突出部の面の両方がステム本体の遠位部を支持する支持面として使用することができるので、高価な支持体の準備数量を削減できるという効果を奏する。
【００２６】
請求項７に係る本考案は、遠位支持体及び中央支持体の連結によってステム支持体としては一個で済むので、高価なステム支持体の使用数量を少なくできるという効果を奏する。
【００２７】
請求項８に係る本考案は、連結部の伸縮によってステム支持体の装着位置を変えることができるので、高価な支持体の準備数量を削減できるという効果を奏する。
【００２８】
請求項９に係る本考案は、ガンマ線の照射でも変形しない滅菌状態のパッケージを提供するという効果を奏する。
【００２９】
請求項１０に係る本考案は、粗面部と中央支持体とが擦れることによって発生した中央支持体の摩耗粉に起因する生体への為害作用の発生が防止されるという効果を奏する。
【図面の簡単な説明】
【００３０】
【図１】従来技術に係るパッケージを示す模式図である。
【図２】人工股関節のステムを示す平面図である。
【図３】キャップ付きステムを示す平面図である。
【図４】ステムのネック部に装着されるキャップの断面図である。
【図５】遠位支持体を説明する図である。（Ａ）は平面図であり、（Ｂ）は正面図である。
【図６】中央支持体を説明する図である。（Ａ）は平面図であり、（Ｂ）は正面図である。
【図７】本考案の第一実施形態に係るパッケージを示す平面図である。
【図８】図７に示したパッケージを展開した模式的斜視図である。
【図９】本考案の第二実施形態に係るパッケージを示す平面図である。
【図１０】本考案の第三実施形態に係るパッケージを示す平面図である。
【考案を実施するための形態】
【００３１】
以下、本考案のパッケージ１０の実施形態について、図面を参照しながら詳細に説明する。
【００３２】
まず、図２乃至８を参照しながら、本考案の第一実施形態に係るパッケージ１０について説明する。
【００３３】
図２は人工股関節のステム１を示す平面図であり、図３はキャップ９付きステム１を示す平面図であり、図４はステム１のネック部５に装着されるキャップ９の断面図であり、図５は遠位支持体５３を説明する図であり、図６は中央支持体５５を説明する図であり、図７はパッケージ１０の平面図であり、図８は図７に示したパッケージ１０を展開した模式的斜視図である。
【００３４】
人工股関節は、一般的に、大腿骨の骨随腔内に挿入固定されるステム１と、ステム１のネック部５に嵌合固定される骨頭球と、骨盤の寛骨臼に埋入固定されるソケットと、から構成されている。
【００３５】
そして、図２に示すように、人工股関節のステム１は、ステム本体３とネック部５とから構成されており、ステム本体３に対してネック部５がステム長手方向に対してある角度で屈曲配置されたいわゆるチャンレイ型のものである。例えば、ステム本体３の中心軸線とネック部５の中心軸線とがなす角度は、おおよそ３５度乃至５５度である。ステム１は、コバルトクロム合金やチタン合金等の生体為害性のない金属からなる。
【００３６】
ステム本体３は、大腿骨の骨随腔内に挿入・固定される部分であり、遠位端３ａからネック部５に向けてステム長手方向に沿って遠位部３ｂと中央部３ｃと近位部３ｄとを順次備えている。ネック部５に近づくにしたがって、ステム本体３が太くなっている、すなわち、ステム本体３の横断面積が大きくなっている。言いかえれば、近位部３ｄの横断面積＞中央部３ｃの横断面積＞遠位部３ｂの横断面積という関係にある。また、遠位端３ａは、骨随腔の奥に挿入されるので、先細形状をしている。
【００３７】
また、図２においては、ステム本体３の全長がＡ、遠位部３ｂの長さがＢ、中央部３ｃの長さがＣとしてそれぞれ模式的に示されている。後述するように、遠位部３ｂ及び中央部３ｃは、それぞれ、遠位支持体５３及び中央支持体５５によって支持される部分に対応している。好適な一例として、遠位部３ｂの長さＢ及び中央部３ｃの長さＣは、それぞれ、Ａ／６及び２Ａ／３である。
【００３８】
微小な凹凸を有する粗面部７が、近位部３ｄから中央部３ｃにかけて、ステム本体３の外周面上に形成されている。粗面部７は、公知の溶射技術でチタン系材料を被着させたものであり、大きな表面積を持った粗面部７の微小な凹凸内に骨を成長させる骨誘導作用を提供する。なお、このような粗面部７が中央部３ｃにも設けられている場合、粗面部７と中央支持体５５とが擦れることによって中央支持体５５の摩耗樹脂粉が発生する恐れがある。摩耗樹脂粉は、生体、すなわち埋植手術を受ける患者、に対する為害性を持っている恐れがあるため、そのような摩耗樹脂粉発生を防止するために、粗面部７と重ならない位置に中央支持体５５が配置される。
【００３９】
また、ステム本体３の表面には、骨との親和性に優れた骨成長誘導材料、例えばリン酸カルシウム化合物をコーティングすることもできる。
【００４０】
ネック部５は、骨頭球をステム１に連結するためにステム本体３から屈曲しながら延在している屈曲部分であり、大略円柱形状をしている。ネック部５を保護するために、シリコンゴム製のキャップ９が装着されている。図４に示すように、二種類のネック径に対応できるように、キャップ９は、小径凹部９ａと大径凹部９ｂとを備えている。
【００４１】
人工股関節のステム１は、図７及び８に示すパッケージ１０に収納される。
【００４２】
図７及び８に示すように、パッケージ１０は、遠位支持体５３及び中央支持体５５と、支持板４０と、スペーサ６０と、内トレイ３０と、不図示の内蓋シート材と、外トレイ２０と、不図示の外蓋シート材と、から構成されている。パッケージ１０に収納されたステム１が目視できるように、少なくとも、内トレイ３０と外トレイ２０とは、透光性材料から構成されている。
【００４３】
遠位支持体５３及び中央支持体５５は、ポリエチレン系樹脂材料を発泡させたスポンジ状の弾性体である。図５に示すように、遠位支持体５３は、後述する装着部４５に装着されるベース部５３ａと、ベース部５３ａに対してトレイ長手方向に突出した突出部５３ｂと、からなる二段構造をしている。ステム１の遠位端３ａは、ベース部５３ａの側の面又は突出部５３ｂの側の面のいずれかによって当接支持される。同じ装着部４５であっても、装着部４５に対するベース部５３ａの装着方向を変えることにより、ステム１の遠位端３ａとの当接面をベース部５３ａの側の面又は突出部５３ｂの側の面に変えることができ、ステム本体３の全長Ａの長短に対応することができる。図６に示すように、中央支持体５５は、トレイ長手方向に貫通した貫通穴５５ａを有する。貫通穴５５ａの穴径は、ステム本体３の中央部３ｃを受け入れるように寸法構成されている。
【００４４】
支持板４０は、複数個のリッジ４３と一つのネック支持部４７とを平板状のベース体４１の一面上に備えている。ベース体４１は、切り欠かれた係合凹部４９を備えている。係合凹部４９は、後述する内トレイ３０の側壁３１に配設された係合凸部３７と係合する。これらの係合部材３７，４９は、支持板４０の内トレイ３０に対する位置決めガイドとして作用する。
【００４５】
トレイ長手直交方向に延在する複数個のリッジ４３は、トレイ長手方向に沿って離間配置されているとともに、その対向側にも対照的に配置されている。あるリッジ４３と隣接するリッジ４３との間の間隙あるいはリッジ４３と係合凸部３７との間には、装着部４５が形成されている。したがって、支持板４０は、複数個の装着部４５をトレイ長手方向に沿って備えている。遠位支持体５３のベース部５３ａ及び中央支持体５５が、適宜の位置にある装着部４５に対してそれぞれ装着される。なお、図７に図示した例では、６対のリッジ４３が配置されているとともに、リッジ４３同士による装着部４５が４個、リッジ４３と係合凸部３７とによる装着部４５が２個、それぞれ形成されている。
【００４６】
支持板４０のコーナー部分には、ネック支持部４７が配設されている。ネック支持部４７は、図３に示したキャップ９付きネック部５を受け入れる挿通穴４７ａを有している。挿通穴４７ａの中心軸線とトレイ長手直交方向とがなす角度は、上述したステム本体３の中心軸線とネック部５の中心軸線とがなす角度と実質的に一致している。
【００４７】
このような支持板４０に対するステム１の支持に際して、以下のような準備作業がクリーンルームにて行われる。すなわち、包装すべきステム１に適した遠位支持体５３及び中央支持体５５を準備し、それらに対してエアブロー及び外観検査を行って、異物の除去を行う。同様に、ステム１に対してもエアブロー及び外観検査を行って、異物の除去を行う。ステム本体３の中央部３ｃに中央支持体５５を嵌挿し、ステム本体３の遠位端３ａに遠位支持体５３が当接した状態で、キャップ９付きネック部５をネック支持部４７の挿通穴４７ａに挿入しながら、遠位支持体５３及び中央支持体５５を適宜の装着部４５に装着して、ステム１と支持板４０とを合体させる。
【００４８】
したがって、人工股関節のステム１は、支持板４０の装着部４５に装着された遠位支持体５３及び中央支持体５５と、支持板４０に固設されたネック支持部４７とを介して、支持板４０上で弾性的に支持されている。このような支持構造によって、ステム１がステム本体３の中心軸線を中心にした旋回運動を行うこと、及び、ステム１がステム本体３の中心軸線方向に移動することが防止されている。
【００４９】
人工股関節のステム１を備えた支持板４０は、支持板４０よりも一回り大きいサイズであって、側壁３１と底壁とによってボックス形状をした内トレイ３０内に収容される。側壁３１の内面には、内側に突出した係合凸部３７が設けられている。また、側壁３１の上縁部には、外周に張り出したフランジ部３３が設けられている。なお、内トレイ３０は、透光性を有するポリエチレンテレフタレートから構成されている。
【００５０】
人工股関節のステム１の支持された支持板４０を内トレイ３０内に載置したあと、シート状のスペーサ６０を介在させた状態で不図示の内蓋シート材（ポリエチレン製）を載置する。内トレイ３０のフランジ部３３において内蓋シート材と内トレイ３０とがヒートシールされ、内トレイ３０が封止される。
【００５１】
このような内トレイ３０は、内トレイ３０よりも一回り大きいサイズであって、側壁２１と底壁とによってボックス形状をした外トレイ２０内に収容される。側壁２１の上縁部には、外周に張り出したフランジ部２３が設けられている。なお、外トレイ２０も、透光性を有するポリエチレンテレフタレートから構成されている。内トレイ３０を外トレイ２０内に載置したあと、不図示の外蓋シート材（ポリエチレン製）を載置する。外トレイ２０のフランジ部２３において外蓋シート材と外トレイ２０とがヒートシールされ、外トレイ２０が封止される。その後、人工股関節のステム１等を含む外トレイ２０に対してガンマ線が照射されて、ガンマ線による滅菌処理が行われる。
【００５２】
なお、図７及び８において、ベース部５３ａの側の面が遠位端３ａに当接するように遠位支持体５３が配置されているが、逆の配置、すなわち突出部５３ｂの側の面が遠位端３ａに当接するように遠位支持体５３が配置された構成にすることもできる。
【００５３】
次に、図９を参照しながら、本考案の第二実施形態に係るパッケージ１０について説明するが、上記第一実施形態と重複する部分の説明を省略して上記第一実施形態と相違する部分について説明する。
【００５４】
図９に図示したパッケージ１０は、平板状の遠位支持部５７ａ及び中央支持部５７ｂが連結部５７ｃを介して連結されている場合、すなわち遠位支持部５７ａ及び中央支持部５７ｂが一体化されている場合を示しており、その他の構成は上記第一実施形態と同じである。遠位支持部５７ａ及び中央支持部５７ｂの一体化によってステム支持体５７としては一個で済むので、高価なステム支持体５７の使用数量を少なくできるという効果を奏する。
【００５５】
連結部５７ｃの伸縮によって遠位支持部５７ａ及び中央支持部５７ｂの装着位置を適宜変えることができるように、連結部５７ｃがトレイ長手方向に対して伸縮可能であることが好適である。例えば、連結部５７ｃの厚みを薄肉構造としたり、連結部５７ｃを蛇腹構造にしたりすることにより、連結部５７ｃを伸縮可能な構造とすることができる。その結果、高価なステム支持体５７の準備数量を削減できるという効果を奏する。
【００５６】
次に、図１０を参照しながら、本考案の第三実施形態に係るパッケージ１０について説明するが、同様に、上記第一実施形態と相違する部分について説明する。
【００５７】
図１０に図示したパッケージ１０は、第一実施形態のように支持板４０上に固設されたネック支持部４７の挿通穴４７ａによってネック部５を支持している代わりに、装着部４５に対して着脱自在であるように構成されたネック支持体５９の支持穴５９ａによってネック部５を支持している。
【００５８】
トレイ長手直交方向に延在し且つトレイ長手方向に沿って離間配置されたリッジ４３がネック部５の載置位置まで形成されており、リッジ４３の数も第一実施形態の場合よりも多くなっている。なお、図１０の限定しない例示では、１０対のリッジ４３が配置されているとともに、リッジ４３同士による装着部４５が８個形成されている。そして、図１０の左端に位置する装着部４５が、キャップ９付きネック支持体５９の装着のために使用される。
【００５９】
ネック支持体５９は、ポリエチレン系樹脂材料を発泡させたスポンジ状の弾性体からなる。ネック支持体５９は、トレイ長手方向に対して傾斜した向きに延在する支持穴５９ａを有する。ネック支持体５９の支持穴５９ａの穴径は、キャップ９付きネック部５を受け入れるように寸法構成されている。
【００６０】
したがって、人工股関節のステム１は、支持板４０の装着部４５に装着された遠位支持体５３と中央支持体５５とネック支持体５９とを介して、支持板４０上で弾性的に支持されている。このような支持構造によって、ステム１がステム本体３の中心軸線を中心にした旋回運動を行うこと、及び、ステム１がステム本体３の中心軸線方向に移動することが防止されている。
【００６１】
なお、上記第一乃至第三の実施形態において、支持板４０を内トレイ３０に組み入れた一体構造にすることもできる。その場合、上述したリッジ４３及びネック支持部４７を内トレイ３０の底壁に設けたり、リッジ４３及びネック支持部４７をそれぞれ内トレイ３０の側壁３１及び底壁に設けたりすることができる。
【符号の説明】
【００６２】
１：ステム
３：ステム本体
３ａ：遠位端
３ｂ：遠位部
３ｃ：中央部
３ｄ：近位部
５：ネック部
７：粗面部
９：キャップ
９ａ：小径凹部
９ｂ：大径凹部
１０：パッケージ
２０：外トレイ
２１：側壁
２３：フランジ部
２５：収納部
３０：内トレイ
３１：側壁
３３：フランジ部
３５：収納部
３７：係合凸部
４０：支持板
４１：ベース体
４３：リッジ
４５：装着部
４７：ネック支持部
４７ａ：挿通穴
４９：係合凹部
５３：遠位支持体（ステム支持体）
５３ａ：ベース部
５３ｂ：突出部
５５：中央支持体（ステム支持体）
５５ａ：貫通穴
５７：ステム支持体
５７ａ：遠位支持部
５７ｂ：中央支持部
５７ｃ：連結部
５９：ネック支持体
５９ａ：支持穴
６０：スペーサ
１３０：パッケージ
１４０：トレイ
１５０：支持体
１５０ａ：第一支持体
１５０ｂ：第二支持体
１５０ｃ：第三支持体
１５０ｄ：第四支持体
１５０ｅ：第五支持体
【図１】
0003149688.tif 000003
【図２】
0003149688.tif 000004
【図３】
0003149688.tif 000005
【図４】
0003149688.tif 000006
【図５】
0003149688.tif 000007
【図６】
0003149688.tif 000008
【図７】
0003149688.tif 000009
【図８】
0003149688.tif 000010
【図９】
0003149688.tif 000011
【図１０】
0003149688.tif 000012